(57)【要約】      （修正有）【課題】キートップを押圧した際、キートップが垂直方向に摺動し確実にスイッチを操作できるようにすること。。【解決手段】操作片１５をキートップ１４の押圧操作部より回転型電気部品３の内側にずらすように配置し、キートップ１４とガイド部材３２との間にキートップ１４を復帰させる復帰ばね２３を介装したもの。【選択図】      図２
2004200033.tif 000002
【特許請求の範囲】
【請求項１】
中空部を有し回転部材の回転操作によって電気信号を発生する回転型電気部品と、この回転型電気部品の中空部内に配置されている押釦スイッチと、この押釦スイッチを操作片を介して押圧操作する押圧操作部が形成されているキートップと、上下方向に延在し前記操作片を挿入してガイドするガイド孔が形成されこのガイド孔の下部開口に前記押釦スイッチが対向するように配置されているガイド部材とを有する多方向入力装置であって、
前記操作片を前記キートップの押圧操作部より前記回転型電気部品の内側にずらすように配置し、前記キートップと前記ガイド部材との間に前記キートップを復帰させる復帰ばねを介装したことを特徴とする多方向入力装置。
【請求項２】
前記操作片が前記ガイド部材のガイド孔内において回動しないようにするため前記ガイド孔および前記操作片をそれぞれ非円筒形に形成したことを特徴とする請求項１に記載の多方向入力装置。
【請求項３】
複数の前記キートップを有し、前記復帰ばねを複数のキートップにより共用したことを特徴とする請求項１または請求項２に記載の多方向入力装置。
【請求項４】
前記操作片が前記ガイド部材のガイド孔内において回動しないようにするため前記操作片と平行に延在する突出片を設け、この突出片を前記ガイド部材に形成した他のガイド孔に挿入したことを特徴とする請求項１に記載の多方向入力装置。
【請求項５】
前記突出片に前記復帰ばねを装着したことを特徴とする請求項４に記載の多方向入力装置。
【請求項６】
前記突出片の上昇位置の規制を行うストッパを突設したことを特徴とする請求項４または請求項５に記載の多方向入力装置。
【請求項７】
前記キートップに透光性部材からなる透光部を形成し、前記キートップと前記ガイド部材との間に照光部材を配設したことを特徴とする請求項１ないし請求項６のいずれか１項に記載の多方向入力装置。
【発明の詳細な説明】
【０００１】
【発明の属する技術分野】
本発明は、例えば自動車のカーナビなどを操作するスイッチなどに用いられ多種の操作を可能とする多方向入力装置に関する。
【０００２】
【従来の技術】
従来の多方向入力装置の一例としては、ケーシングと、このケーシングに内装されたスイッチ付きエンコーダと、このスイッチ付きエンコーダの回転軸を回転駆動する回転部材と、前記エンコーダと一体に設けられた照光式タクトスイッチを切り換えるスイッチ切換部と、カバーとから構成されているものがあった。
【０００３】
前記ケーシングは、スイッチ付きエンコーダを収納可能な箱状に形成されており、このケーシングの一部には、前記スイッチ付きエンコーダの回転軸を外部に貫通するための透孔が開設されている。また、前記ケーシングの外面には、回転部材の下端部を挿入するための凹部が前記透孔と同心状に形成されている。
【０００４】
前記スイッチ切換部は、前記スイッチ付きエンコーダの回転軸の回転中心に立設された固定軸の外面に密に嵌合可能となるような内径を有する円筒状の支持体と、この支持体の上端部よりそれぞれ直角をなして４方向に張り出された弾性変形部と、この弾性変形部の先端のそれぞれに一体に形成されたプッシュボタンと、相隣接するプッシュボタンの間よりそれぞれ直角をなして４方向に張り出されたカバー取付板とを一体に形成して構成されている。
【０００５】
前記プッシュボタンは透明樹脂により構成されており、キートップと、このキートップの中心よりも内側に偏奇して設けられた棒状の操作片と、これらのキートップと操作片とを連結する傾斜部とから構成されている。さらに、前記キートップの表面には、このキートップを押圧することによって発揮される機能の内容を表示する文字などが印刷された表示部が設けられており、また、前記傾斜部には、前記操作片の軸線に対して４５度の角度に形成された第１の傾斜面と、この第１の傾斜面と平行に形成され、照光式タクトスイッチから出射された光を前記操作片および前記第１の傾斜面を介して前記キートップの上面に導く第２の傾斜面とが形成されている。
【０００６】
前記カバー取付板は、前記支持体の周面から支持体の半径方向に付設されており、その先端部上方には、係止片が直角に形成されている。
【０００７】
前記カバーは、前記４つのキートップを一体に被覆可能な大きさの円板状に形成されており、その周辺部分には、この４つのキートップをそれぞれ貫通可能な大きさの４つの透孔がなど分に開設されている。また、このカバーの下面には、前記カバー取付板に形成された係止片の下辺に係合可能な４つの係止爪が垂設されている。前記カバーは、前記透孔のそれぞれに４つのキートップを１つずつ嵌入し、カバー取付板の上面をカバーの下面に当接し、係止爪を係止片の下辺に係合することによって、前記支持体と一体化されている。
【０００８】
このような構成からなる従来の多方向入力装置においては、いずれか１つのキートップを押圧すると、この押圧されたキートップが取り付けられている弾性変形部が弾性変形し、この押圧力が操作片を介していずれか１つの各照光式タクトスイッチに伝達される。これによって、前記照光式タクトスイッチの１つがオン状態に切り換えられ、この照光式タクトスイッチにアクチュエータが駆動されて、所望の動作が行われる。これと同時に、オン状態に切り換えられた照光式タクトスイッチが発光し、その光が、操作片、第１の傾斜面および第２の傾斜面を介してキートップの上面に導かれ、印刷層に白抜きされた文字などが明度を増し、実行中の動作の内容が表示されることになる。また、回転部材を左転または右転させることにより、エンコーダを操作することができる。
【０００９】
【特許文献１】
実用新案登録第２５６６２３０号公報（第２−３頁、第１−７図）
【００１０】
【発明が解決しようとする課題】
前述した従来の多方向入力装置においては、キートップを押圧操作した際、前記キートップが枢支部を中心として回転し、操作片を介して各照光式タクトスイッチを押圧するため、前記キートップと前記照光式タクトスイッチとの間隔を長く設定したい場合、確実に押圧操作することができないという問題点があった。また、キートップの外縁と回転部材の内周壁との間に隙間を設ける必要があるため、小型化、外観を損なうなどの問題が生じていた。
【００１１】
本発明はこのような問題点に鑑みてなされたもので、キートップを押圧した際、前記キートップが枢支部で回転せず、垂直方向に摺動し確実にスイッチを操作できる多方向入力装置を提供することを目的とする。
【００１２】
【課題を解決するための手段】
前述した目的を達成するため本発明の多方向入力装置の特徴は、操作片をキートップの押圧操作部より回転型電気部品の内側にずらすように配置し、キートップとガイド部材との間にキートップを復帰させる復帰ばねを介装した点にある。そして、このような構成を採用したことにより、キートップの押圧操作部を押圧すると操作片がガイド部材のガイド孔に沿って摺動するので、キートップも安定的に下降されることになる。
【００１３】
本発明の他の多方向入力装置の特徴は、操作片がガイド部材のガイド孔内において回動しないようにするためガイド孔および操作片をそれぞれ非円筒形に形成した点にある。そして、このような構成を採用したことにより、操作片を常時正規の方向に保持することができる。
【００１４】
本発明のさらに他の多方向入力装置の特徴は、複数の前記キートップを有し、復帰ばねを複数のキートップにより共用した点にある。そして、このような構成を採用したことにより、ひとつの復帰ばねにより複数のキートップを上方に復帰させることができる。
【００１５】
本発明のさらに他の多方向入力装置の特徴は、操作片がガイド部材のガイド孔内において回動しないようにするため操作片と平行に延在する突出片を設け、この突出片を前記ガイド部材に形成した他のガイド孔に挿入した点にある。そして、このような構成を採用したことにより、操作片を常時正規の方向に保持することができる。
【００１６】
本発明のさらに他の多方向入力装置の特徴は、突出片に復帰ばねを装着した点にある。そして、このような構成を採用したことにより、復帰ばねにより突出片を上方に復帰させることによりキートップを上方に復帰させることができる。
【００１７】
本発明のさらに他の多方向入力装置の特徴は、前記突出片の上昇位置の規制を行うストッパを突設した点にある。そして、このような構成を採用したことにより、キートップの上昇位置を規制することができる。
【００１８】
本発明のさらに他の多方向入力装置の特徴は、キートップに透光性部材からなる透光部を形成し、キートップとガイド部材との間に照光部材を配設した点にある。そして、このような構成を採用したことにより、キートップの透光部を照光部材により照らしてキートップの作用を示すことができる。
【００１９】
【発明の実施の形態】
図１ないし図４は本発明に係る多方向入力装置の第１実施形態を示すものである。図１に示すように、本実施形態の多方向入力装置１は、回転型電気部品の一例としての中空ロータリスイッチ２、複数のキーを備えたキー装置３、および、回転部材４とにより構成されている。
【００２０】
前記中空ロータリスイッチ２には、基板６上に中空部７ａを有する筒体７が立設された台座５が配設されており、前記筒体７の周囲には、合成樹脂製からなり回転自在とされたロータ８が装着されている。
【００２１】
前記筒体７の周囲には複数のパターン（図示せず）が配設されており、また、前記ロータ８の内周面には前記パターンを摺動する摺動子（図示せず）が配設されている。そして、前記ロータ８が時計方向あるいは反時計方向に回転されることにより前記摺動子が前記パターンに対し接離を繰り返すことによりそれぞれのパターンのパルス波形が出力されるようになっている。
【００２２】
前記ロータ８の外周面には、円筒形に形成され指で摘んで操作を行う前記回転部材４の内周面に形成された凸部１２に密に嵌合する凹部９と、前記回転部材４を係止するフック１０とが形成されており、前記回転部材４は、上方から前記ロータ８に嵌合されている。
【００２３】
図２および図３において、前記キー装置３の上面には、円筒形状をなす決定キーのキートップ１３が中央部に配置されており、この決定キーのキートップ１３の外周部位には、上下左右の４方向キーのキートップ１４ａ〜１４ｄと斜めの４方向の方向キーのキートップ１４ｅ〜１４ｈの合計８個のキートップ１４ａ〜１４ｈが円周方向に隣接して配置されている。
【００２４】
各キートップ１３，１４ａ〜１４ｈの中央部には、それぞれの役割を示す文字および記号などが透光性部材により形成されている。また、各方向キーのキートップ１４ａ〜１４ｈの底面には、各キートップ１４ａ〜１４ｈの押圧操作部よりこれらのキートップ１４ａ〜１４ｈの内側に位置する決定キーのキートップ１３方向に偏倚している角筒形状の操作片１５がそれぞれ一体に突設されている。すなわち、前記操作片１５は、前記各方向キーのキートップ１４ａ〜１４ｈの押圧操作部より前記中空ロータリスイッチ２の内側にずらすように配置されていることになる。
【００２５】
前記決定キーのキートップ１３の下方には、ほぼ円盤状をなす支持部材２５が配設されている。この支持部材２５の外周面には、円周方向に等しい間隔を有するようにして複数（本実施形態においては８個）の凸部２６，２６…が突設されている。
【００２６】
また、前記支持部材２５の中心部には、円形孔２７が穿設されており、この円形孔２７には、上下方向に延在する後述する押動ロッド２９の上端部が嵌合されている。
【００２７】
さらに、前記支持部材２５の外周部には、左右に間隔を隔ててそれぞれ複数本（本実施形態においては３本）の等長の支持ロッド２８，２８…が上方に延在するように植設されており、各支持ロッド２８の上端に前記決定キーのキートップ１３が載置されている。
【００２８】
前記押動ロッド２９の下方には、弾性部材により形成され上方から押圧された前記押動ロッド２９を上方に復帰させる可動接点２９ａが配設されている。
【００２９】
一方、前記各方向キーのキートップ１４ａ〜１４ｈの下方に位置する各操作片１５の下端部には、それぞれ上下方向に延在する押動ロッド３０の上端部が嵌合されている。また、各押動ロッド３０の下方には、弾性部材により形成され上方から押圧された前記押動ロッド３０を上方に復帰させる可動接点３０ａが配設されている。
【００３０】
また、前記決定キーのキートップ１３と方向キーのキートップ１４ａ〜１４ｈの間には、リング状の防塵部材１６が配設されており、前記防塵部材１６の底面には、下方に延在する突出片１７が形成されている。
【００３１】
前記各キートップ１３、１４ａ〜１４ｈの下方には、円盤状のＬＥＤ基板１８が配置されている。このＬＥＤ基板１８の上面における前記キートップ１３，１４ａ〜１４ｈに対応する位置にはそれぞれＬＥＤ１９が配置されている。また、前記ＬＥＤ基板１８には、前記操作片１５を挿通させる複数の開口２０，２０…と前記突出片１７を挿通させる複数の開口２１，２１…とが形成されている。さらに、前記ＬＥＤ基板１８の下面には、前記各ＬＥＤ１９に電力を供給するための給電端子２２が配設されている。
【００３２】
また、前記キートップ１３，１４ａ〜１４ｈと前記ＬＥＤ基板１８の間には、押圧された前記キートップ１３，１４ａ〜１４ｈを上方に復帰させるための復帰ばね２３が配置されており、また、この復帰ばね２３の上方にはスペーサ２４が配設されている。
【００３３】
さらに、前記ＬＥＤ基板１８の下方には、ほぼ八角柱形をなすガイド部材３２が配設されている。このガイド部材３２の平面視における中央部には、前記支持部材２５および押動ロッド２９を挿入させるガイド孔３３が穿設されており、このガイド孔３３の平面形状は、前記各凸部２６を含む前記支持部材２５の外形寸法とほぼ補形をなす形状に形成されている。また、前記ガイド部材３２の外周部には、前記各操作片１５および前記各押動ロッド３０を挿入させる角筒形状のガイド孔３４と、前記給電端子２１を挿通させる孔３５とが穿設されている。
【００３４】
さらにまた、前記ガイド部材３２の下方には、前記各押動ロッド２９，３０により押圧される押釦スイッチ１１の固定接点２９ｂ，３０ｂを内部に収納する複数の収納孔３７と、前記ＬＥＤ基板１８の給電端子２２を前記中空ロータリスイッチ２の基板６へ挿通させる孔３８とが形成された基板３６が配設されている。なお、前記各押釦スイッチ１１は配線（図示せず）により、前記基板６に接続されている。
【００３５】
つぎに、前述した構成からなる本実施形態の作用について説明する。
【００３６】
前記多方向入力装置１は、前記中空ロータリスイッチ２の中空部７ａに前記キー装置３が前記ガイド部材３２の上端まで挿入され、前記キー装置３の下面に配設されている前記押釦スイッチ１１の配線が前記基板６に接続され、また、前記給電端子２１は前記基板６を挿通している。
【００３７】
そして、前記キー装置３が挿入された中空ロータリスイッチ２の上方から前記回転部材４が嵌合され、前記フック１０により固定される。
【００３８】
前記多方向入力装置１は、主に自動車のカーナビなどの操作に用いられ、この場合、自動車のエンジンの始動もしくはライトの点灯に連動して内部に配設されたＬＥＤ１９が点灯するようになっている。
【００３９】
前記キートップ１３，１４ａ〜１４ｈは、自動車内に設置されたモニタに表示された内容を操作する際に任意に押圧し、押圧されたいずれかのキートップは、前記支持部材２５、操作片１５および押動ロッド２９，３０が前記ガイド部材３２のガイド孔３３に沿って鉛直方向下方に摺動し、対応する前記押釦スイッチ１１を押圧するようになっている。そして、押圧された前記押釦スイッチ１１は前記復帰ばね２３と前記可動接点３１の弾性力により上方へ押し上げられる。この結果、前記押し下げられたキートップ１３，１４ａ〜１４ｈは、元の位置に復帰する。
【００４０】
また、前記回転部材４を時計方向あるいは反時計方向に回転させることにより、前記ロータ８が回転し、内部に設置されたパターンを摺動子が摺動し、それぞれのパターンのパルス波形が出力されることになる。
【００４１】
本実施形態の多方向入力装置１によれば、各方向キーのキートップ１４ａ〜１４ｈの押圧操作部より各操作片１５を内側に偏倚させているので、装置全体を小型化できる。また、操作片１５を内側に偏倚させているにもかかわらず、各操作片１５ならびに各操作片１５と接続された押動ロッド３０がガイド部材３２のガイド孔３４内を摺動するので、各キートップ１４ａ〜１４ｈは安定的に昇降することになる。
【００４２】
また、各操作片１５およびガイド部材３２の各ガイド孔３４は非円形とされているので、各キートップ１４ａ〜１４ｈの向きは常時正規の方向に規制されることになる。
【００４３】
さらに、キートップ１３，１４ａ〜１４ｈを下降させると、対応するＬＥＤ１９が発光するので、操作を目視により確実に行うことができる。
【００４４】
さらにまた、共通の復帰ばね２３により各キートップ１３，１４ａ〜１４ｈの復帰を行うようにしているので、部品点数を減少することができる。
【００４５】
図４および図５は本発明に係る多方向入力装置の他の実施形態を示すものである。
【００４６】
図４および図５において、本第２実施形態における多方向入力装置４１は、中空ロータリスイッチ４２、キー装置４３、および、回転部材４４とにより構成されている。
【００４７】
前記中空ロータリスイッチ４２は、基板４６上に中空部４７ａを有する筒体４７が立設された台座４５が配設されており、この台座４５は、基板４６の裏面からねじ５８により固定されている。また、前記筒体４７の周囲には、合成樹脂からなる回転自在なロータ４８が装着されている。
【００４８】
前記筒体４７の周囲には複数のパターン（図示せず）が形成されており、また前記ロータ４８の内周面には前記パターンに沿って摺動する摺動子（図示せず）が配設されている。したがって、前記ロータ４８が時計方向あるいは反時計方向に回転され、前記摺動子が前記パターンに対し接離を繰り返すことによりそれぞれのパターンのパルス波形が出力されるようになっている。
【００４９】
また、前記ロータ４８の外周面には、ほぼ円筒形に形成された前記回転部材４４の内周面に形成された凸部５２に密に嵌合する凹部４９と、前記回転部材４４を係止するフック５０とが形成されている。
【００５０】
前記回転部材４４は、前記ロータ４８の上方から嵌合され、下部をねじ５９により固定される固定部材５９により固定され、上方に抜けないようになっている。
【００５１】
さらに、前記中空部４７ａの底面の基板４６には、複数の押釦スイッチ５１が配設されている。
【００５２】
前記キー装置４３の上面には、円筒形状をなす決定キーのキートップ５３が中央部に配置されており、この決定キーのキートップ５３の外周部位には、上下左右の４方向キーのキートップ５４ａ〜５４ｄと斜めの４方向の方向キーのキートップ５４ｅ〜５４ｈの合計８個のキートップ５４ａ〜５４ｈが円周方向に隣接して配置されている。
【００５３】
各キートップ５３，５４ａ〜５４ｈの中央部には、それぞれの役割を示す文字および記号などが形成されている。前記決定キーのキートップ５３の下面には、上下方向に延在する操作片６５が嵌合支持されている。この操作片６５は、その下端により対向する前記押釦スイッチ５１を押圧して駆動するようになっている。
【００５４】
前記各方向キーのキートップ５４ａ〜５４ｈの底面には、各キートップ５４ａ〜５４ｈの押圧操作部よりこれらのキートップ５４ａ〜５４ｈの内側に位置する決定キーのキートップ５３方向に偏倚している円柱ロッド形状の操作片５５ａがそれぞれ一体に突設されている。すなわち、前記操作片５５ａは、前記各方向キーのキートップ５４ａ〜５４ｈの押圧操作部より前記中空ロータリスイッチ４２の内側にずらすように配置されていることになる。前記各操作片５５ａは、その下端により対向する前記押釦スイッチ５１を押圧して駆動するようになっている。
【００５５】
また、前記各方向キーのキートップ５４ａ〜５４ｈの底面には、各キートップ５４ａ〜５４ｈの押圧操作部の直下位置に円柱ロッド形状の突出片５５ｂがそれぞれ一体に突設されている。
【００５６】
さらに、前記決定キーのキートップ５３と方向キーのキートップ５４ａ〜５４ｈの間には、リング状の防塵部材５６が配設されており、前記防塵部材５６の底面には突出片５７が形成されている。
【００５７】
前記キートップ５３，５４ａ〜５４ｈの下方には、上部を円筒部７２ａ、下部を角筒部７２ｂとされたガイド部材７２が配設されている。このガイド部材７２の中央部には、前記決定キーのキートップ５３、および、このキートップ５３に接続された前記操作片６５が挿通されるガイド孔７３が穿設されている。また、このガイド孔７３より多少外側の前記ガイド部材７２には、前記各方向キーのキートップ５４ａ〜５４ｈに接続されている各操作片５５ａが挿通される複数のガイド孔７４，７４…が穿設されている。さらに、前記各ガイド孔７４より外側で、円筒部７２ａのみが存在する部位の前記ガイド部材７２には、前記キートップ５４ａ〜５４ｈに接続されている各突出片５５ｂが挿入されるガイド孔７５，７５…が穿設されている。
【００５８】
また、前記操作片６５および前記各突出片５５ｂと、前記ガイド部材７２の間にはそれぞれコイルばね６３が配設され、押圧された前記キートップ５３、５４ａ〜５４ｈを上方に復帰させるようになっている。さらに、前記決定キーのキートップに接続され前記ガイド孔７３の下方に突出している操作片６５の下端には、前記各決定キーのキートップ５３が上方へ抜けるのを防止するストッパとしての抜け止め用ねじ６６が螺着されている。また、前記各ガイド孔７５の下方に突出している前記各突出片６５の下端には、前記各方向キーのキートップ５４ａ〜５４ｈが上方へ抜けるのを防止するストッパとしての抜け止め用ねじ６７が取り付けられている。
【００５９】
つぎに、前述した構成からなる本実施形態の作用について説明する。
【００６０】
前記多方向入力装置４１は、前記中空ロータリスイッチ４２の中空部４７ａに前記キー装置４３が挿入され、その上方から前記回転部材４４が凸部５２と前記中空ロータリスイッチ４２の凹部４９を嵌合させ、前記フック５０と前記固定部材５９をねじ６０で止めることにより固定される。
【００６１】
前記多方向入力装置４１は、主に自動車のカーナビなどの操作に用いられる。
【００６２】
前記キートップ５３，５４ａ〜５４ｈは、自動車内に設置されたモニタに表示された内容を操作する際に任意に押圧し、押圧されたいずれかのキートップは、前記操作片６５，５５ａが前記ガイド部材７２のガイド孔７３に沿って鉛直方向下方に摺動し、対応する前記押釦スイッチ５１を押圧するようになっている。そして、押し下げられたキートップ５３，５４ａ〜５４ｈは、各復帰ばね６３の作用により元の位置に復帰する。
【００６３】
また、前記回転部材４４を時計方向あるいは反時計方向に回転させることにより、前記ロータ８が回転し、内部に設置されたパターンを摺動子が摺動し、それぞれのパターンのパルス波形が出力されることになる。
【００６４】
本実施形態の多方向入力装置４１によれば、各方向キーのキートップ５４ａ〜５４ｈの押圧操作部より各操作片５５ａを内側に偏倚させているので、装置全体を小型化できる。また、操作片５５ａを内側に偏倚させているにもかかわらず、各操作片５５ａがガイド部材７２のガイド孔７４内を摺動するので、各キートップ５４ａ〜５４ｈは安定的に昇降することになる。
【００６５】
また、各キートップ５４ａ〜５４ｈには操作片５５ａのほか突出片５５Ｂも突設されており、各突出片５５ｂもガイド部材７２のガイド孔７５に沿って摺動するようになっているので、各キートップ５４ａ〜５４ｈの向きは常時正規の方向に規制されることになる。
【００６６】
さらに、操作片６５および各突出片５５ｂの下端には抜け止め用のねじ６６，６７が螺着されているので、各キートップ５３，５４ａ〜５４ｈは常時正規の位置までしか上昇しない。
【００６７】
なお、本発明は、前述した実施形態に限定されるものではなく、必要に応じて種々の変更が可能である。例えば、本第２実施形態のキートップに透光部材を使用し、キートップの下方にＬＥＤを配設することによりキートップを発光させることができる。また、前述した実施形態においては、多方向入力装置である回転型電気部品を、パターンを摺動子が摺動して電気信号を発生させる中空ロータリスイッチにより説明したが、回転型電気部品はこの中空ロータリスイッチに限定されるものではない。すなわち、回転型電気部品としては、中空ロータリボリュームや非接触方式の中空回転型電気部品であってもよい。また、回転型電気部品の操作角度も有限、無限のいずれであってもよい。さらに、パターンと摺動子の関係を固定側と可動側とで入れ替えてもよい。
【００６８】
【発明の効果】
以上説明したように本発明の多方向入力装置によれば、キートップを押圧した際、前記キートップが垂直方向に摺動し確実にスイッチを操作できる。
【００６９】
すなわち、操作片をキートップの押圧操作部より回転型電気部品の内側にずらすように配置し、キートップとガイド部材との間にキートップを復帰させる復帰ばねを介装したので、キートップの押圧操作部を押圧すると操作片がガイド部材のガイド孔に沿って摺動することになり、キートップも安定的に下降されることになるし、また、操作片の位置を内側にして全体を小型化できる。
【００７０】
さらに、ガイド孔および操作片をそれぞれ非円筒形に形成するか、操作片と平行に延在する突出片を設け、この突出片をガイド部材に形成した他のガイド孔に挿入することにより、操作片を常時正規の方向に保持することができる。
【００７１】
さらにまた、複数の前記キートップを有し、復帰ばねを複数のキートップにより共用したことにより、ひとつの復帰ばねにより複数のキートップを上方に復帰させることができ、部品点数を減少することができる。
【００７２】
また、突出片に復帰ばねを装着すれば、この復帰ばねにより突出片を上方に復帰させることによりキートップを上方に復帰させることができる。
【００７３】
さらに、突出片の上昇位置の規制を行うストッパを突設すれば、キートップの上昇位置を規制することができる。
【００７４】
さらにまた、キートップに透光性部材からなる透光部を形成し、キートップとガイド部材との間に照光部材を配設すれば、キートップの透光部を照光部材により照らしてキートップの作用を示すことができる。
【図面の簡単な説明】
【図１】本発明に係る多方向入力装置の第１実施形態を示す分解斜視図
【図２】図１のキー装置の分解斜視図
【図３】図１の組み立て状態の縦断面正面図
【図４】本発明に係る多方向入力装置の第２実施形態を示す分解斜視図
【図５】図４の組み立て状態の縦断面正面図
【符号の説明】
１  多方向入力装置
２  中空ロータリスイッチ
３  キー装置
４  回転部材
１０  フック
１１  押釦スイッチ
１２  凸部
１３  決定キーのキートップ
１４ａ〜１４ｈ  方向キーのキートップ
１５  操作片
１６  防塵部材
１８  ＬＥＤ基板
１９  ＬＥＤ
２２  給電端子
２３  復帰ばね
２４  スペーサ
２５  支持部材
２６  凸部
２８  支持片
２９，３０  押動ロッド
３２  ガイド部材
３３，３４  ガイド孔
４１  多方向入力装置
４２  中空ロータリスイッチ
４３  キー装置
４４  回転部材
４５  台座
４６  基板
４７  筒体
５０  フック
５１  押釦スイッチ
５２  凸部
５３  決定キーのキートップ
５４ａ〜５４ｈ  方向キーのキートップ
５５ａ  操作片
５５ｂ  突出片
５９  固定部材
６０  ねじ
６３  コイルばね
６５  操作片
７２  ガイド部材
７３，７４，７５  ガイド孔
【図１】
2004200033.tif 000003
【図２】
2004200033.tif 000004
【図３】
2004200033.tif 000005
【図４】
2004200033.tif 000006
【図５】
2004200033.tif 000007